(57)【要約】【課題】操作性を向上させた通信装置を提供する。【解決手段】クライアントＰＣのブラウザから入力されたキーワードと共にｈｔｔｐプロトコルを用いて通信装置へアクセスし、通信機装置は渡されたキーワードを用いて装置内のキーワードと初期設定項目とを関連付けたデータテーブルから該当する初期設定項目を検索し、検索に該当した初期設定項目で設定用のＷｅｂページを構成・提供する。初期設定を行うにあたり、取り扱い説明書を参照する等の煩わしい手順を経ることなく、容易に目的とする初期設定項目を設定することができる。【選択図】図１
2007249675.tif 000002
【特許請求の範囲】
【請求項１】
キーワードと初期設定項目とを関連付けたデータテーブル手段と、
ブラウザからのキーワードを入力する入力手段と、
前記入力されたキーワードを用いて前記データテーブル手段から該当する初期設定項目を検索する検索手段と、
前記検索された初期設定項目を用いて設定用のＷｅｂページを作成する作成手段とを設けたことを特徴とする通信装置。
【請求項２】
前記検索手段は、前記入力されたキーワードとして第２のキーワードを用いて前記データテーブル手段を検索することを特徴とする請求項１記載の通信装置。
【請求項３】
前記Ｗｅｂページの表示に際して各初期設定項目に該当する入力ヘルプ情報を表示する表示手段を設けたことを特徴とする請求項１または２記載の通信装置。
【請求項４】
前記表示手段は、前記Ｗｅｂページを表示する際には、各初期設定項目の中で入力必須の項目については項目名の色を目立つ色にし、入力必須項目であることを強調することを特徴とする請求項３記載の通信装置。
【請求項５】
前記表示手段は、Ｗｅｂページを表示する際には、各初期設定項目が存在する元のＷｅｂページへのリンクを表示することを特徴とする請求項３または４記載の通信装置。
【請求項６】
前記表示手段がＷｅｂページを表示する際に、入力ヘルプ情報を表示する／しない、入力必須の項目については項目名の色を目立つ色にする／しない、各初期設定項目が存在する元のＷｅｂページへのリンクを表示する／しないの設定をユーザが切り替える切り替え手段を設けたことを特徴とする請求項４または５記載の通信装置。
【請求項７】
現在設定されている入力ヘルプ情報を表示する／しない、入力必須の項目については項目名の色を目立つ色にする／しない、各初期設定項目が存在する元のＷｅｂページへのリンクを表示する／しないの設定を、レポートに印字する印字手段を設けたことを特徴とする請求項６記載の通信装置。
【請求項８】
前記入力されたキーワードは、クライアントＰＣのブラウザからｈｔｔｐプロトコルを用いて通信装置にアクセスされることにより入力されたものであることを特徴とする請求項１から７の何れか１項に記載の通信装置。
【請求項９】
キーワードと初期設定項目とを関連付けたデータテーブルを用意し、
ブラウザから入力されたキーワードを用いて前記データテーブルから該当する初期設定項目を検索し、
検索された初期設定項目を用いて設定用のＷｅｂページを作成することを特徴とする通信方法。
【請求項１０】
前記入力されたキーワードとして第２のキーワードを用いて前記データテーブルを検索することを特徴とする請求項９記載の通信方法。
【請求項１１】
前記Ｗｅｂページの表示に際して各初期設定項目に該当する入力ヘルプ情報を表示することを特徴とする請求項９または１０記載の通信方法。
【請求項１２】
前記Ｗｅｂページを表示する際には、各初期設定項目の中で入力必須の項目については項目名の色を目立つ色にし、入力必須項目であることを強調することを特徴とする請求項１１記載の通信方法。
【請求項１３】
前記Ｗｅｂページを表示する際には、各初期設定項目が存在する元のＷｅｂページへのリンクを表示することを特徴とする請求項１１または１２記載の通信方法。
【請求項１４】
前記Ｗｅｂページを表示する際に、入力ヘルプ情報を表示する／しない、入力必須の項目については項目名の色を目立つ色にする／しない、各初期設定項目が存在する元のＷｅｂページへのリンクを表示する／しないの設定をユーザが切り替え可能なことを特徴とする請求項１２または１３記載の通信方法。
【請求項１５】
現在設定されている入力ヘルプ情報を表示する／しない、入力必須の項目については項目名の色を目立つ色にする／しない、各初期設定項目が存在する元のＷｅｂページへのリンクを表示する／しないの設定を、レポートに印字することを特徴とする請求項１４記載の通信方法。
【請求項１６】
前記入力されたキーワードは、クライアントＰＣのブラウザからｈｔｔｐプロトコルを用いて通信装置にアクセスされることにより入力されたものであることを特徴とする請求項１から７の何れか１項に記載の通信方法。
【請求項１７】
ブラウザからのキーワードを入力する入力処理と、
前記入力されたキーワードを用いてキーワードと初期設定項目とを関連付けたデータテーブルから該当する初期設定項目を検索する検索処理と、
前記検索された初期設定項目を用いて設定用のＷｅｂページを作成する作成処理とをコンピュータに実行させるプログラム。
【請求項１８】
前記入力されたキーワードとして第２のキーワードを用いて前記データテーブル手段を検索する検索処理をコンピュータに実行させる請求項１７記載のプログラム。
【請求項１９】
前記Ｗｅｂページの表示に際して各初期設定項目に該当する入力ヘルプ情報を表示する表示処理をコンピュータに実行させる請求項１７または１８記載のプログラム。
【請求項２０】
前記Ｗｅｂページを表示する際には、各初期設定項目の中で入力必須の項目については項目名の色を目立つ色にし、入力必須項目であることを強調する表示処理をコンピュータに実行させる請求項１９記載のプログラム。
【請求項２１】
前記Ｗｅｂページを表示する際には、各初期設定項目が存在する元のＷｅｂページへのリンクを表示する表示処理をコンピュータに実行させる請求項１７または１８記載のプログラム。
【請求項２２】
前記Ｗｅｂページを表示する際に、入力ヘルプ情報を表示する／しない、入力必須の項目については項目名の色を目立つ色にする／しない、各初期設定項目が存在する元のＷｅｂページへのリンクを表示する／しないの設定をユーザが切り替える切り替え処理をコンピュータに実行させる請求項２０または２１記載のプログラム。
【請求項２３】
現在設定されている入力ヘルプ情報を表示する／しない、入力必須の項目については項目名の色を目立つ色にする／しない、各初期設定項目が存在する元のＷｅｂページへのリンクを表示する／しないの設定を、レポートに印字する印字処理をコンピュータに実行させる請求項２２記載のプログラム。
【請求項２４】
前記入力処理により入力されたキーワードは、クライアントＰＣのブラウザからｈｔｔｐプロトコルを用いて通信装置にアクセスされることにより入力されたものであることを特徴とする請求項１７から２３の何れか１項に記載のプログラム。
【請求項２５】
請求項１７から２４の何れか１項に記載のプログラムを記録したコンピュータ読み取り可能な記録媒体。
【発明の詳細な説明】
【技術分野】
【０００１】
本発明は、通信装置、方法、これらの装置、方法で用いられるプログラム及びプログムを記録したコンピュータ読み取り可能な記録媒体に関する。
【背景技術】
【０００２】
例えば複合機などの通信装置は、表示手段、自機プロッタを用いてレポート／リストを出力する機能、予め定められた操作により電話番号等の宛先データや各種ＩＤ等を入力する手段、入力されたデータを格納／保存するメモリ、送信・受信機能及びＷＷＷ（Ｗｏｒｌｄ−Ｗｉｄｅ  Ｗｅｂ）を実現するためのｈｔｔｐプロトコル、ネットワーク上のクライアントＰＣ（リモート）のブラウザから機器の状態表示・各種設定が可能な手段等を備えている。従来より機器操作画面のＵＩをｈｔｍｌで記述し、操作画面からｈｔｍｌを変更することにより、容易に操作画面をカスタマイズできる方法が提案されている（例えば、特許文献１参照）。また、ユーザ端末に搭載されたソフトウェアが、端末内に存在するカスタマイズ定義データを、ブラウザに送信されたＷｅｂページに適用し、カスタマイズしたＷｅｂページを表示する方法が提案されている（例えば、特許文献２参照）。
【特許文献１】特開２００５−２２８１０６号公報
【特許文献２】特開２００２−２３６６３８号公報
【発明の開示】
【発明が解決しようとする課題】
【０００３】
上記のような通信装置において、装置の各機能、手段を利用するにあたり、各種初期設定を行う場合が多々ある。また、１つの機能を利用するためには複数項目を設定する場合や、１つのキーワード（例えばＩＤ、サーバ）に関連する項目を設定したい場合は、設定項目のカテゴリ分けが機能単位やキーワード単位ではないため、目的とする設定項目の在り処が分りにくく、辿り着くまでには取り扱い説明書等を参照する必要があり、ユーザにとって使いにくいという問題点があった。
本発明は、このような不具合点を補い、操作性を向上させた通信装置を提供することを目的とする。
【課題を解決するための手段】
【０００４】
請求項１記載の通信装置は、キーワードと初期設定項目とを関連付けたデータテーブル手段と、ブラウザからのキーワードを入力する入力手段と、前記入力されたキーワードを用いて前記データテーブル手段から該当する初期設定項目を検索する検索手段と、前記検索された初期設定項目を用いて設定用のＷｅｂページを作成する作成手段とを設けたことを特徴とする。
請求項２記載の通信装置は、請求項１記載の発明において、前記検索手段は、前記入力されたキーワードとして第２のキーワードを用いて前記データテーブル手段を検索することを特徴とする。
【０００５】
請求項３記載の通信装置は、請求項２記載の発明において、前記Ｗｅｂページの表示に際して各初期設定項目に該当する入力ヘルプ情報を表示する表示手段を設けたことを特徴とする。
請求項４記載の通信装置は、請求項３記載の発明において、前記表示手段は、前記Ｗｅｂページを表示する際には、各初期設定項目の中で入力必須の項目については項目名の色を目立つ色にし、入力必須項目であることを強調することを特徴とする。
【０００６】
請求項５記載の通信装置は、請求項３または４記載の発明において、前記表示手段は、Ｗｅｂページを表示する際には、各初期設定項目が存在する元のＷｅｂページへのリンクを表示することを特徴とする。
請求項６記載の通信装置は、請求項４または５記載の発明において、前記表示手段がＷｅｂページを表示する際に、入力ヘルプ情報を表示する／しない、入力必須の項目については項目名の色を目立つ色にする／しない、各初期設定項目が存在する元のＷｅｂページへのリンクを表示する／しないの設定をユーザが切り替える切り替え手段を設けたことを特徴とする。
【０００７】
請求項７記載の通信装置は、請求項６記載の発明において、現在設定されている入力ヘルプ情報を表示する／しない、入力必須の項目については項目名の色を目立つ色にする／しない、各初期設定項目が存在する元のＷｅｂページへのリンクを表示する／しないの設定を、レポートに印字する印字手段を設けたことを特徴とする。
請求項８記載の通信装置は、請求項１から７の何れか１項に記載の発明において、前記入力されたキーワードは、クライアントＰＣのブラウザからｈｔｔｐプロトコルを用いて通信装置にアクセスされることにより入力されたものであることを特徴とする。
【０００８】
請求項９記載の通信方法は、キーワードと初期設定項目とを関連付けたデータテーブルを用意し、ブラウザから入力されたキーワードを用いて前記データテーブルから該当する初期設定項目を検索し、検索された初期設定項目を用いて設定用のＷｅｂページを作成することを特徴とする。
請求項１０記載の通信方法は、請求項９記載の発明において、前記入力されたキーワードとして第２のキーワードを用いて前記データテーブルを検索することを特徴とする。
【０００９】
請求項１１記載の通信方法は、請求項９または１０記載の発明において、前記Ｗｅｂページの表示に際して各初期設定項目に該当する入力ヘルプ情報を表示することを特徴とする。
請求項１２記載の通信方法は、請求項１１記載の発明において、前記Ｗｅｂページを表示する際には、各初期設定項目の中で入力必須の項目については項目名の色を目立つ色にし、入力必須項目であることを強調することを特徴とする。
【００１０】
請求項１３記載の通信方法は、請求項１１または１２記載の発明において、前記Ｗｅｂページを表示する際には、各初期設定項目が存在する元のＷｅｂページへのリンクを表示することを特徴とする。
請求項１４記載の発明通信方法は、請求項１２または１３記載の発明において、前記Ｗｅｂページを表示する際に、入力ヘルプ情報を表示する／しない、入力必須の項目については項目名の色を目立つ色にする／しない、各初期設定項目が存在する元のＷｅｂページへのリンクを表示する／しないの設定をユーザが切り替え可能なことを特徴とする。
【００１１】
請求項１５記載の通信方法は、請求項１４記載の発明において、現在設定されている入力ヘルプ情報を表示する／しない、入力必須の項目については項目名の色を目立つ色にする／しない、各初期設定項目が存在する元のＷｅｂページへのリンクを表示する／しないの設定を、レポートに印字することを特徴とする。
請求項１６記載の通信方法は、請求項９から１５の何れか１項に記載の発明において、前記入力されたキーワードは、クライアントＰＣのブラウザからｈｔｔｐプロトコルを用いて通信装置にアクセスされることにより入力されたものであることを特徴とする。
【００１２】
請求項１７記載のプログラムは、ブラウザからのキーワードを入力する入力処理と、前記入力されたキーワードを用いてキーワードと初期設定項目とを関連付けたデータテーブルから該当する初期設定項目を検索する検索処理と、前記検索された初期設定項目を用いて設定用のＷｅｂページを作成する作成処理とをコンピュータに実行させることを特徴とする。
請求項１８記載のプログラムは、請求項１７記載の発明において、前記入力されたキーワードとして第２のキーワードを用いて前記データテーブル手段を検索する検索処理をコンピュータに実行させることを特徴とする。
【００１３】
請求項１９記載のプログラムは、請求項１７または１８記載の発明において、前記Ｗｅｂページの表示に際して各初期設定項目に該当する入力ヘルプ情報を表示する表示処理をコンピュータに実行させることを特徴とする。
請求項２０記載のプログラムは、請求項１９記載の発明において、前記Ｗｅｂページを表示する際には、各初期設定項目の中で入力必須の項目については項目名の色を目立つ色にし、入力必須項目であることを強調する表示処理をコンピュータに実行させることを特徴とする。
【００１４】
請求項２１記載のプログラムは、請求項１７または１８記載の発明において、前記Ｗｅｂページを表示する際には、各初期設定項目が存在する元のＷｅｂページへのリンクを表示する表示処理をコンピュータに実行させることを特徴とする。
請求項２２記載のプログラムは、請求項２０または２１記載の発明において、前記Ｗｅｂページを表示する際に、入力ヘルプ情報を表示する／しない、入力必須の項目については項目名の色を目立つ色にする／しない、各初期設定項目が存在する元のＷｅｂページへのリンクを表示する／しないの設定をユーザが切り替える切り替え処理をコンピュータに実行させることを特徴とする。
【００１５】
請求項２３記載のプログラムは、請求項２２記載の発明において、現在設定されている入力ヘルプ情報を表示する／しない、入力必須の項目については項目名の色を目立つ色にする／しない、各初期設定項目が存在する元のＷｅｂページへのリンクを表示する／しないの設定を、レポートに印字する印字処理をコンピュータに実行させることを特徴とする。
請求項２４記載のプログラムは、請求項１７から２３何れか１項記載の発明において、前記入力処理により入力されたキーワードは、クライアントＰＣのブラウザからｈｔｔｐプロトコルを用いて通信装置にアクセスされることにより入力されたものであることを特徴とする。
請求項２５記載の記録媒体は、請求項１７から２４何れか１項に記載のプログラムを記録したコンピュータ読み取り可能な記録媒体であることを特徴とする。
【発明の効果】
【００１６】
請求項１，２，９，１０，１７，１８の発明によれば、初期設定を行うにあたり、取り説を参照する等の煩わしい手順を経ることなく、容易に目的とする初期設定項目を設定することができる。
請求項３，１１，２０の発明によれば、ユーザは容易に初期設定を行うための入力制限を取り説無しに確認することができる。
【００１７】
請求項４，１２，２１に発明によれば、入力必須項目であることを強調してユーザに入力を促すので、ユーザは入力必須に関して取り説を参照することなく、もれなく入力することができる。
請求項５，１３，２２の発明によれば、ユーザは目的とする初期設定項目が元々どのＷｅｂページにあるのかを容易に把握することができ、通信装置に関する理解を高めることができる。
【００１８】
請求項６，１４，２３の発明によれば、ユーザの操作性を向上させることができる。
請求項７，１５，２４の発明によれば、ユーザは現在の設定を容易に確認することができる。
請求項８，１６，２５の発明によれば、クライアントＰＣのブラウザから入力キーワードと共にｈｔｔｐプロトコルを用いて通信装置へアクセスすることができる。
【発明を実施するための最良の形態】
【００１９】
以下、本発明の実施形態を図面と共に説明する。
図１０は本発明の実施形態による通信装置としての複合機の構成例を示すブロック図である。
図１０において、１は原稿を読み取る読み取り部、２は受信した画情報やレポート等を記録する記録部、３は画情報を符号化・複号化を行う符号化複号化部、４はシステム全体の制御を司るシステム制御部、５はシステム制御で使用するワークエリアであるシステムメモリ、６は画情報を必要に応じて蓄積保存する画情報メモリ、７はキー、ＬＥＤ、ＬＣＤ等を設けてユーザの入力操作を許すと共に、各種表示を行う操作表示部、８は伝送制御を司る通信制御部、９は回線と通信制御の間でアナログ信号の変調／復調を行うモデム、１０は回線から送られてくるＤＴＭＦ信号を検出するＤＴＭＦ検出器である。１１はネットワーク通信を司るネットワーク通信制御部、１２はネットワークと繋げるためのネットワークＩ／Ｆ部である。
【００２０】
次に、請求項１から６に関する第１の実施形態の動作について図１〜６，８〜１０を参照して説明する。
図１はユーザがクライアントＰＣ上にてキーワードを入力してから、ＰＣ上に入力キーワードに該当するＨＴＭＬ（Ｗｅｂカスタムページ）が表示されるまでの大まかな流れを示す。図２はユーザがクライアントＰＣ上にてＷｅｂカスタムページを生成するための操作例（キーワードが一つの場合）である。図３はユーザがクライアントＰＣ上にてＷｅｂカスタムページを生成するための操作例（キーワードが複数の場合）である。図４は図２、３における実行ボタン押下からＷｅｂカスタムページを生成するまでの流れを示すフローチャート、図５は通信装置に格納されている設定項目名とキーワードとの対応データテーブル例である。図６は各種項目（入力ヘルプ情報、必須項目への色情報付加、元Ｗｅｂページへのリンク情報付加）に関しての設定（する／しないの設定）の機器側設定操作例である。図８はｈｔｍｌ例である。図９は元のＷｅｂページへのリンクが選択された場合のブラウザにおける表示例、及びとヘルプ情報に関する表示例である。
【００２１】
図４のフローチャートに沿って説明する。
まず、図２、３に示されるようなクライアントＰＣにおいて、キーワード入力後、実行ボタンを押下時に機器側へ渡された検索名情報をＵＲＬより取得し（Ｓ１）、検索名情報を用いて図５に示されるデータテーブルから該当する設定項目名を全て検索する（Ｓ２）。次に、クライアントＰＣへ出力するためのｈｔｍｌを生成するために、まずはｈｔｍｌのヘッダ部分を作成し（Ｓ３）、Ｓ２の検索結果の有無を判断する（Ｓ４）。検索結果が無ければ、その旨を示すエラーメッセージを含むｈｔｍｌのｂｏｄｙ部分を作成し（Ｓ１４）、検索結果が有れば、例えば図６に示されるような予め定められた操作により、通信装置に登録された設定情報を読み出し、クライアントＰＣへ出力するｈｔｍｌへの入力ヘルプ情報付加の可否を判断する（請求項６：（Ｓ５））。否であれば何もせずに次に進み、可であれば図５のデータテーブルより該当する設定項目名に対応するヘルプ情報の付加関数を呼び出すことにより、ヘルプ情報をクライアントＰＣへ出力するｈｔｍｌへ組み込む（請求項３：（Ｓ６））。ここで、クライアントＰＣのブラウザ上に表示されたヘルプ情報を操作することにより、例えば図９に示されるような、該当項目に対応したヘルプ情報を参照することができる。
【００２２】
次に、クライアントＰＣへ出力するｈｔｍｌへの必須項目の色情報付加の可否を判断し（請求項６：（Ｓ７））、否であれば何もせずに次に進み、可であれば図２に示すように予め定められた色（例えば赤色）に設定項目名を色付けする情報をクライアントＰＣへ出力するｈｔｍｌへ組み込み（請求項４：（Ｓ８））、クライアントＰＣへ出力するｈｔｍｌへの元Ｗｅｂページへのリンク情報付加の可否を判断する（請求項６：（Ｓ９））。否であれば何もせずに次に進み、可であれば図５のデータテーブルより該当する設定項目名に対応する元のＷｅｂページへのリンク先情報の付加関数を呼び出すことにより、リンク先情報をクライアントＰＣへ出力するｈｔｍｌへ組み込む（請求項５：（Ｓ１０））。ここでクライアントＰＣのブラウザ上に表示されたリンク先情報を操作することにより、例えば図９に示されるような、該当項目が元々存在するＷｅｂページを開くことができる。
【００２３】
次に、図５のデータテーブルより該当する設定項目名に対応するＵＩ生成関数を呼び出すことにより検索結果（設定項目名）に対応する設定ＵＩを含むｈｔｍｌのｂｏｄｙ部分を作成し（請求項１、２：（Ｓ１１））、その後ｈｔｍｌのフッタ部分を作成し（Ｓ１２）、クライアントＰＣへ送信すると（Ｓ１３）、ＰＣのブラウザ上にてＷｅｂカスタムページを表示することができる。また、クライアントＰＣから入力されたキーワードが複数存在する場合は、図５のデータテーブルに定義された複数のキーワードと比較することにより絞込み検索を行うことができる。
【００２４】
次に、請求項７の発明に関する第２の実施形態の動作を図６、７を用いて説明する。
図６は各種項目（入力ヘルプ情報、必須項目への色情報付加、元Ｗｅｂページへのリンク情報付加）に関しての設定（する／しないの設定）の機器側設定操作例である。図７は、図６に示したような操作により通信機器へ登録された情報を自機のプロッタを利用してレポートに印字出力した記載例である。
【００２５】
本実施形態によれば、次の効果を得ることができる。
（１）クライアントＰＣのブラウザから入力されたキーワードと共にｈｔｔｐプロトコルを用いて通信装置へアクセスし、通信装置は渡されたキーワードを用いて装置内のキーワードと初期設定項目を関連付けたデータテーブルから該当する初期設定項目を検索し、検索に該当した初期設定項目で設定用のＷｅｂページを構成・提供するので、初期設定を行うにあたり取り説を参照する等の煩わしい手順を経ることなく、容易に目的とする初期設定項目を設定することができる。
【００２６】
（２）クライアントＰＣのブラウザから入力されたキーワードとして第２のキーワードと共にｈｔｔｐプロトコルを用いて通信装置へアクセスし、通信装置は渡されたキーワードを用いて機器内のキーワードと初期設定項目を関連付けたデータテーブルから該当する初期設定項目を絞込み検索し、検索に該当した初期設定項目で設定用のＷｅｂページを構成・提供するので、初期設定を行うにあたり取り説を参照する等の煩わしい手順を経ることなく容易に目的とする初期設定項目を設定することができる。
【００２７】
（３）Ｗｅｂページを表示する際には各初期設定項目に該当する入力ヘルプ情報を表示するので、ユーザは容易に初期設定を行うための入力制限を、取り説無しに確認することができる。
（４）Ｗｅｂページを表示する際には各初期設定項目の中で入力必須の項目については項目名の色を目立つ色にし、入力必須項目であることを強調することによりユーザに入力を促すので、ユーザは入力必須に関して取り説を参照することなくもれなく入力することができる。
【００２８】
（５）Ｗｅｂページを表示する際には各初期設定項目が存在する元のＷｅｂページへのリンクを表示するので、ユーザは目的とする初期設定項目が元々どのＷｅｂページにあるのかを容易に把握することが出来、機器に関する理解を深めることができる。
（６）Ｗｅｂページを表示する際に入力ヘルプ情報を表示する／しない、入力必須の項目については項目名の色を目立つ色にする／しない、各初期設定項目が存在する元のＷｅｂページへのリンクを表示する／しないの設定をユーザが任意に切り替え可能であるので、ユーザの操作性を向上させることができる。
（７）入力ヘルプ情報を表示する／しない、入力必須の項目については項目名の色を目立つ色にする／しない、各初期設定項目が存在する元のＷｅｂページへのリンクを表示する／しないの設定をレポートに印字するので、ユーザは現在の設定を容易に確認することができる。
【００２９】
尚、各実施形態で説明した動作やフローチャートに示す処理を、通信装置のＣＰＵが実行するためのプログラムは本発明によるプログラムを構成する。また、このプログラムを記録する記録媒体は、本発明によるコンピュータ読み取り可能な記録媒体を構成する。この記録媒体としては、半導体記憶装置や光学的及び／又は磁気的な記憶装置等を用いることができる。このようなプログラム及び記録媒体を、前述した実施形態とは異なる構成の装置やシステム等で用い、そこのＣＰＵで上記プログラムを実行させることにより、本発明と実質的に同じ効果を得ることができる。
【図面の簡単な説明】
【００３０】
【図１】ユーザがクライアントＰＣ上にてキーワードを入力してから、ＰＣ上に入力キーワードに該当するＨＴＭＬ（Ｗｅｂカスタムページ）が表示されるまでの大まかな流れを示す構成図である。
【図２】ユーザがクライアントＰＣ上にてＷｅｂカスタムページを生成するための操作例（キーワードが一つの場合）を示す構成図である。
【図３】ユーザがクライアントＰＣ上にてＷｅｂカスタムページを生成するための操作例（キーワードが複数の場合）を示す構成図である。
【図４】図２、図３における実行ボタン押下からＷｅｂカスタムページを生成するまでの流れを示すフローチャートである。
【図５】通信装置に格納されている設定項目名とキーワードの対応データテーブル例を示す構成図である。
【図６】各種項目（入力ヘルプ情報、必須項目への色情報付加、元Ｗｅｂページへのリンク情報付加）に関しての設定（する／しないの設定）の機器側設定操作例を示す構成図である。
【図７】図６に示す操作により通信機器へ登録された情報を自機のプロッタを利用してレポートに印字出力した記載例を示す構成図である。
【図８】ｈｔｍｌ例を示す構成図である。
【図９】元のＷｅｂページへのリンクが選択された場合のブラウザにおける表示例、及びヘルプ情報に関する表示例を示す構成図である。
【図１０】本発明の実施形態による通信装置としての複合機の構成例を示すブロック図である。
【符号の説明】
【００３１】
１    読み取り部
２    記録部
３    符号化複号化部
４    システム制御部
５    システムメモリ
６    画情報メモリ
７    操作表示部
８    通信制御部
９    モデム
１０    ＤＴＭＦ検出器
１１    ネットワーク通信制御部
１２    ネットワークＩ／Ｆ部
【図１】
2007249675.tif 000003
【図２】
2007249675.tif 000004
【図３】
2007249675.tif 000005
【図４】
2007249675.tif 000006
【図５】
2007249675.tif 000007
【図６】
2007249675.tif 000008
【図７】
2007249675.tif 000009
【図８】
2007249675.tif 000010
【図９】
2007249675.tif 000011
【図１０】
2007249675.tif 000012